(57)【要約】【課題】鋼管送電鉄塔の主柱材の内面を確実に塗装することを可能にした塗装装置を提供すること。【解決手段】  中空鋼管からなる鉄塔の主柱材１０２の内部を塗装する塗装装置１であって、主柱材１０２の頂部から内部に挿入可能な本体１０と、本体１０に連結され、本体１０を上下方向に移動させるとともに、本体１０に水系塗料を供給するホース２０と、本体１０の下部に設けられ、ホース２０から供給された水系塗料を主柱材１０２の内面に向けて放出するシャワー部５０と、本体１０の側部に設けられ、主柱材１０２に当接して本体１０を主柱材１０２の中心軸上に位置付けるように支持する支持脚３０と、を備え、シャワー部５０は、主柱材１０２の内面に対向しかつ環状に並ぶ複数の放出口５４ａ、５６ａを有し、放出口５４ａ、５６ａから水系塗料が放出される。【選択図】図４
2015180152.tif 000002
【特許請求の範囲】
【請求項１】
鉄塔における鋼管からなる主柱材の頂部から、当該主柱材の内部に挿入可能な本体と、
前記本体に連結され、前記本体を上下方向に移動させるとともに、前記本体に水系塗料を供給するホースと、
当該本体の下部に設けられ、前記ホースから供給された水系塗料を前記主柱材の内面に向けて放出するシャワー部と、
前記本体の側部に設けられ、前記主柱材に当接して前記本体を前記主柱材の中心軸上に位置付けるように支持する支持脚と、を備え、
前記シャワー部は、前記主柱材の内面に対向しかつ環状に並ぶ複数の放出口を有し、当該放出口から水系塗料が放出されることを特徴とする塗装装置。
【請求項２】
前記シャワー部は、前記本体から供給された水系塗料を充填する充填部と、当該充填部に接続され、先端に前記放出口が形成された複数の管状の放出部と、を備えることを特徴とする請求項１記載の塗装装置。
【請求項３】
複数の放出口は、前記主柱材の径方向に対して所定角度傾いた方向を向いており、かつ均等に配置されていることを特徴とする請求項１又は２記載の塗装装置。
【請求項４】
前記所定角度は、２５度から３５度の間であることを特徴とする請求項３記載の塗装装置。
【請求項５】
前記複数の放出口は、上下方向に並ぶ二段に配置されていることを特徴とする請求項３又は４記載の塗装装置。
【発明の詳細な説明】
【技術分野】
【０００１】
本発明は、鋼管送電鉄塔の主柱材の内面塗装に適用可能な塗装装置に関する。
【背景技術】
【０００２】
図７は、鋼管送電鉄塔１００の構成を模式的に示した説明図である。鋼管送電鉄塔１００は、主柱材１０２、斜材１０４、腕金１０６、水平材１０８及び基礎コンクリート１１０などにより構成される。例えば、地上における矩形の四隅の位置に４本の主柱材１０２を、基礎コンクリート１１０を介して立設し、４本の主柱材１０２を、斜材１０４や水平材１０８によって連結するとともに各種の補強部材によって補強し、主柱材１０２の上部に腕金１０６を設けることによって、鋼管送電鉄塔１００が組み立てられる。
【０００３】
主柱材１０２は、鋼管からなり、主柱材１０２の内面及び外面には、表面の腐食を防止するために溶融亜鉛めっき処理が施されている。主柱材１０２の内面は、外部の環境による影響を受けにくいため、主柱材１０２の内面にめっき処理を施すことによって、長期に亘って防食性が発揮される。しかし、溶融亜鉛めっきの寿命による経年劣化や、めっき処理の不良箇所が存在すると、そこから主柱材１０２の腐食が進行することによって、鋼管送電鉄塔１００の強度が低下するおそれがある。このため、定期的に、主柱材１０２の内面に防錆塗装を行ったり、経年劣化した箇所やめっき処理の不良箇所の補修を行ったりする必要がある。
【０００４】
ところで、鋼管送電鉄塔１００は、急峻な山地に設けられている場合が多く、現地に大型の塗装用の機材を搬入することが困難である。また、主柱材１０２において塗装用の機材が挿入できるような箇所は限られており、現状としては、主柱材１０２の頂部にボルト止めされている蓋部を外して鋼管内に、塗装用の機材が挿入される。このように、現状においては、主柱材１０２の内面の防錆塗装における施工面での制約が多い。
【０００５】
そこで、従来、特許文献１に記載された技術が提案されている。特許文献１には、主柱材の頂部から鋼管内に塗装機を挿入して鋼管内面をスプレー塗装する工法、について開示されている。
【先行技術文献】
【特許文献】
【０００６】
【特許文献１】特開２００６−８２０５１公報
【発明の概要】
【発明が解決しようとする課題】
【０００７】
しかしながら、防錆塗料をスプレー塗装する塗装機は、防錆塗料の吐出口が目詰まりし易いという問題点がある。主柱材の外面の塗装であれば、吐出口が目詰まりしても、吐出口の目詰まりを解消した後、同じ塗装箇所から塗装を再開することができる。
【０００８】
しかし、主柱材の内面の塗装の場合には、塗装機を視認することが困難であるため、吐出口が目詰まりしたか否かを判断することが困難である。このため、吐出口が目詰まりしたまま作業を進めることによって、結果として、主柱材の内面に防錆塗料が塗装されていない箇所が生じるおそれがある。また、塗装の途中で、吐出口が目詰まりした場合には、一旦塗装機を主柱材の内部から出して、所定のメンテナンスを行った後に再度挿入することになる。しかし、その際、塗装を中断した位置を正確に把握することが困難であるため、塗装を中断した位置から塗装を再開できるとは限らない。このため、主柱材の内面に防錆塗料が塗装されていない箇所が生じるおそれがある。
【０００９】
本発明は、このような問題点を解決し、鋼管送電鉄塔の主柱材の内面を確実に塗装することを可能にした塗装装置を提供することを目的とする。
【課題を解決するための手段】
【００１０】
前記目的を達成するため、本発明は、次に記載する構成を備えている。
【００１１】
（１）  鉄塔における鋼管からなる主柱材の頂部から、当該主柱材の内部に挿入可能な本体と、前記本体に連結され、前記本体を上下方向に移動させるとともに、前記本体に水系塗料を供給するホースと、当該本体の下部に設けられ、前記ホースから供給された水系塗料を前記主柱材の内面に向けて放出するシャワー部と、前記本体の側部に設けられ、前記主柱材に当接して前記本体を前記主柱材の中心軸上に位置付けるように支持する支持脚と、を備え、前記シャワー部は、周方向に並ぶ複数の放出口を有し、当該放出口から水系塗料が放出されることを特徴とする塗装装置。
【００１２】
（１）によれば、ホースを主柱材の頂部から挿入又は引き出すことによって、主柱材の本体が主柱材の内部が上下方向に移動し、更にホースを介して本体に水系塗料を供給することにより、主柱材の内面に水系塗料がシャワーコートされる。このため、従来におけるスプレー式の塗装のように放出口が目詰まりすることが低減される、主柱材の内面を確実に塗装することが可能になる。
【００１３】
（２）  （１）において、前記シャワー部は、前記本体から供給された水系塗料を充填する充填部と、当該充填部に接続され、先端に前記放出口が形成された複数の管状の放出部と、を備えることを特徴とする塗装装置。
【００１４】
（２）によれば、水系塗料が管状の放出部を通って放出されることにより、水系塗料が放出される方向が安定する。これにより、主柱材の内面を確実に塗装することが可能になる。
【００１５】
（３）  （１）、（２）において、複数の放出口は、前記主柱材の径方向に対して所定角度傾いた方向を向いた状態で均等に配置されていることを特徴とする塗装装置。
【００１６】
（４）  （３）において、前記所定角度は、２５度から３５度の間であることを特徴とする塗装装置。
【００１７】
（３）、（４）によれば、前記主柱材の内面に対して周方向に広い範囲で水系塗料を塗布することが可能になる。これにより、塗り残し（未塗装部分）の発生を抑えることができる。
【００１８】
（５）  （３）又は（４）において、前記複数の放出口は、上下方向に並ぶ二段に配置されていることを特徴とする塗装装置。
【００１９】
（５）によれば、水系塗料の放出方向に角度を付けることによって水系塗料が周方向に広がるが、その一方で上下方向の水系塗料が狭くなる。そこで、複数の放出口を、上下方向に二段に配置することにより、上下方向の水系塗料の塗布範囲を広げることが可能になる。
【発明の効果】
【００２０】
本発明によれば、鋼管送電鉄塔の主柱材の内面を確実に塗装することを可能にした塗装装置を提供することが可能になる。
【図面の簡単な説明】
【００２１】
【図１】本発明の一実施形態における塗装装置１の外観を示す斜視図である。
【図２】図１の平面図である。
【図３】シャワー部５０の平面図である。
【図４】主柱材１０２の内部における塗装装置１の状態を示す説明図である。
【図５】塗装装置１によって主柱材１０２の内部に塗布された水系塗料の広がりを示す説明図である。
【図６】主柱材１０２の内部に塗布された水系塗料の養生時の状態を示す説明図である。
【図７】鋼管送電鉄塔１００の模式図である。
【発明を実施するための形態】
【００２２】
以下、本発明の一実施形態について、図面を参照しながら詳細に説明する。
【００２３】
図１は、本発明の一実施形態における塗装装置１の外観を示す斜視図、図２は、図１の平面図である。
【００２４】
塗装装置１は、本体１０と、ホース２０と、支持脚３０と、シャワー部５０と、を備えている。
【００２５】
本体１０は、中空の円柱状部材によって構成されている。本体１０の軸方向の一方の端面には、ホース２０に連結される円筒形のホース連結部１２が立設しており、本体１０の軸方向の他方の端面には、シャワー部５０に連結される円筒形の連結部１４が立設している。また、本体１０の側面における連結部１４側の端部には、突起部１６が３箇所に形成されている。３つの突起部１６は、本体１０を軸方向視した場合に、本体１０の中心と隣合う突起部１６、１６とによる角度が１２０度となる位置にある。
【００２６】
ホース連結部１２及び連結部１４の中心軸は、本体１０の中心軸と同軸であり、ホース連結部１２及び連結部１４の内部空間は、本体１０の内部空間に連通している。
【００２７】
ホース２０は、可撓性部材によって構成される配管部材である。ホース２０の一端部は、本体１０のホース連結部１２に着脱自在に接続され、ホース２０の他端部は、水系塗料を送り出す塗料供給装置（図示せず）に接続される。また、ホース２０は、主柱材１０２の内部に挿入することによって本体１０が主柱材１０２の内部を下降し、主柱材１０２から引き出すことによって本体１０が主柱材１０２の内部を上昇する。このように、ホース２０は、本体１０の昇降に利用される。
【００２８】
支持脚３０は、第１シャフト３２と、第２シャフト３４と、キャスター３６、３８と、スライダ４０と、を備えている。
【００２９】
スライダ４０は、リング状に形成されており、本体１０の側面におけるホース連結部１２側の端部に設けられている。本体１０の側面におけるホース連結部１２側の端部には、帯状の凹部１０ａが形成されている。スライダ４０は、凹部１０ａに設置されており、凹部１０ａの幅の範囲で軸方向にスライド自在である。また、スライダ４０の外周面には、突起部４２が３箇所に形成されている。３つの突起部４２は、スライダ４０を軸方向視した場合に、スライダ４０の中心と隣合う突起部４２、４２とによる角度が１２０度となる位置にある。このため、３つの突起部４２と、３つの突起部１６とを本体１０の軸方向に対向させることができる。
【００３０】
また、スライダ４０は、図示していない付勢部材によって、連結部１４側に付勢されている。このため、初期状態においては、スライダ４０は、本体１０における連結部１４側に位置している。
【００３１】
第１シャフト３２は、２本の棒状部材からなり、一端部は突起部４２に回動自在に固定され、他端部には、キャスター３６が回転自在に取り付けられている。
【００３２】
第２シャフト３４は、２本の板状部材からなり、一端部は突起部１６に回動自在に固定され、他端部には、キャスター３８が回転自在に取り付けられている。
【００３３】
また、第１シャフト３２の長手方向の中央部及び第２シャフト３４の長手方向の中央部には孔部（図示せず）が形成されている。
【００３４】
第１シャフト３２は、第２シャフト３４の２本の板状部材の間に通され、第１シャフト３２と第２シャフト３４とは、中央部において交差する。この交差部位において、第１シャフト３２の中央部の孔部（図示せず）と、第２シャフト３４の中央部の孔部（図示せず）とが一致しており、この孔部（図示せず）に支持軸３９が挿入されることにより、第１シャフト３２と第２シャフト３４とが互いに回動自在に連結される。この時、互いに連結している第１シャフト３２及び第２シャフト３４に設けられたキャスター３６とキャスター３８とが、本体１０の軸方向に互いに対向する位置に配置される。また、図２に示すように、３組の第１シャフト３２及び第２シャフト３４はそれぞれ半径方向に延びており、隣合う第１シャフト３２及び第２シャフト３４の組が延びる方向の角度は１２０度となる。
【００３５】
このように構成された支持脚３０によれば、スライダ４０が、連結部１４側にスライドした場合には、３つの支持脚３０が同時に本体１０の半径方向に沿って延びていく。この際、キャスター３６及びキャスター３８は、本体１０の半径方向に沿って本体１０から遠ざかりながら、本体１０の軸方向に互いに近づいていく。スライダ４０がホース連結部１２側にスライドした場合には、３つの支持脚３０が同時に本体１０側に縮んでいく。この際、キャスター３６及びキャスター３８は、本体１０の半径方向に沿って本体１０に近づきながら、本体１０の軸方向に離間していく。初期状態においては、スライダ４０が連結部１４側に位置するため、支持脚３０は、最も伸びた状態にあり、キャスター３６及びキャスター３８は、本体１０から最も離れた位置にある。
【００３６】
シャワー部５０は、水系塗料をシャワー状に放出するものであり、連結部１４に固定されている。
【００３７】
図３は、シャワー部５０の平面図である。シャワー部５０は、充填部に相当する円柱部５２と、放出部に相当する第１シャワー部５４及び第２シャワー部５６と、を備えている。
【００３８】
円柱部５２は、中空の円柱部材からなり、片方の端面の中央部が連結部１４に固定されている。
【００３９】
第１シャワー部５４及び第２シャワー部５６は、直径２ｍｍ〜３ｍｍ程度の細い管状部材からなる。
【００４０】
円柱部５２の上部側面には、第１シャワー部５４の基端部が接続されており、先端部には放出口５４ａが形成されている。第１シャワー部５４は、円柱部５２の半径方向に対して若干斜め方向を向いている。また、円柱部５２の上部側面には、複数の第１シャワー部５４が、円柱部５２の上部側面を周回するように等間隔に並べて配置されている。
【００４１】
円柱部５２の下部側面には、第２シャワー部５６の基端部が接続されており、先端部には放出口５６ａが形成されている。放出口５６ａは、円柱部５２の半径方向に対して若干斜め方向を向いている。また、円柱部５２の下部側面には、複数の第２シャワー部５６が、円柱部５２の下部側面を周回するように等間隔に並べて配置されている。このように、シャワー部５０は、第１シャワー部５４と第２シャワー部５６とが上下方向に配置された二段構造である。
【００４２】
連結部１４、第１シャワー部５４及び第２シャワー部５６の内部空間は、円柱部５２の内部空間に連結している。
【００４３】
本実施形態によれば、円柱部５２上部には、第１シャワー部５４及び第２シャワー部５６がそれぞれ１６本接続されている。１６本の第１シャワー部５４の基端の位置は、円柱部５２の中心に対して２２．５度おきに設定されている。また、第１シャワー部５４の軸方向は、半径方向に対して３０度傾いている。１６本の第２シャワー部５６の基端の位置も同様に、円柱部５２の中心に対して２２．５度おきに設定されている。また、第２シャワー部５６の軸方向は、半径方向に対して３０度傾いている。
【００４４】
また、第２シャワー部５６は、第１シャワー部５４に対して１１．２５度回転した位置に配置されている。このため、図３に示すように、円柱部５２を平面視した場合に、第１シャワー部５４と第２シャワー部５６の計３２本の管状部材が、１１．２５度おきに均等に配置されている。
【００４５】
このように構成された塗装装置１によれば、塗料供給装置（図示せず）が駆動して水系塗料が送り出されると、水系塗料は、ホース２０を介して本体１０に供給され、更に、本体１０から連結部１４を介して、シャワー部５０に供給される。シャワー部５０の円柱部５２内に水系塗料が充填されると、第１シャワー部５４及び第２シャワー部５６の先端から水系塗料が、円柱部５２の半径方向に対して３０度の方向に放出される。
【００４６】
図４は、主柱材１０２の内部における塗装装置１の状態を示す説明図である。塗装装置１が、主柱材１０２の内部に挿入された場合、第１シャワー部５４の放出口５４ａ及び第２シャワー部５６の放出口５６ａが主柱材１０２の内面に対向し、キャスター３６及びキャスター３８が主柱材１０２の内面に当接する。このとき、塗装装置１の本体１０は、３組の支持脚３０によって中心に主柱材１０２の中心に向かって押圧されるため、主柱材１０２の中心に位置付けられる。
【００４７】
次に、本実施形態の塗装装置１を用いた、主柱材１０２の内面の塗装作業について説明する。塗装作業においては、塗装工程と、養生工程とが行われる。
【００４８】
［塗装工程］
塗料には、水系塗料が適用され、例えば、亜鉛めっき面への付着性、耐湿性に優れる水性エポキシ樹脂系塗料が適用可能である。
【００４９】
まず、作業員は、塗装装置１と、ホース２０と、水系塗料が貯えられたタンクと、塗料供給装置（図示せず）と、滑車（図示せず）と、養生において使用する負圧ポンプ６０（図６参照）と、作業用の工具とを持参して鋼管送電鉄塔１００を上る。ここで、ホース２０の長さは主柱材１０２よりも長いため、ホース２０における主柱材１０２以上の長さ分だけ、塗料供給装置（図示せず）を主柱材１０２の頂部よりも下方に配置することが可能である。したがって、作業員は、水系塗料が貯えられたタンクと、塗料供給装置（図示せず）とについては、主柱材１０２の頂部まで持ち運ぶ必要は無い。
【００５０】
次に、作業員は、主柱材１０２の頂部に固定されている蓋部（図示せず）取り外して、主柱材１０２の頂部を開放する。次に、作業員は、ホース２０を引っ掛ける滑車（図示せず）を主柱材１０２の頂部に設置する。次に、作業員は、塗料供給装置（図示せず）に水系塗料を充填し、ホース２０の基端部を塗料供給装置（図示せず）に接続する。更に、作業員は、ホース２０を滑車（図示せず）に引っ掛け、ホース２０の先端部を塗装装置１のホース連結部１２に固定する。次に、作業員は、キャスター３６及びキャスター３８を本体１０側に寄せて３つの支持脚３０を折り畳み、塗装装置１をコンパクトな状態にしてから、シャワー部５０を下方に向けて塗装装置１を主柱材１０２の内部に挿入し、ホース２０とともに塗装装置１を降ろして行く。
【００５１】
ここで、主柱材１０２は、下部から頂部に向かって内径が小さくなり、かつ厚さが薄くなるように設計されている。このため、塗装装置１の支持脚３０は、主柱材１０２の下方に移動するに従って半径方向に広がっていき、キャスター３６及びキャスター３８が主柱材１０２の内面に当接した状態で維持される。
【００５２】
また、地上の作業員は、主柱材１０２の最下部に形成されている水抜き孔１０２ａ（図５参照）を介して、塗装装置１が主柱材１０２の最下部に到達したか否かを確認する。塗装装置１が主柱材１０２の最下部に到達した場合には、塗装装置１を降ろす作業を停止するように、主柱材１０２の頂部の作業員に伝達する。
【００５３】
そして、主柱材１０２の頂部の作業員は、塗料供給装置（図示せず）を駆動させ、ホース２０を手動で上方に引き上げる。これにより、塗装装置１は、シャワー部５０から水系塗料を放出して主柱材１０２の内面を塗布しながら、上方に移動する。
【００５４】
本実施形態においては、シャワー部５０における第１シャワー部５４の放出口５４ａ及び第２シャワー部５６の放出口５６ａが、半径方向に対して３０度傾いた方向を向いているため、第１シャワー部５４及び第２シャワー部５６から放出された塗料は、内面に対して斜めから衝突することにより、内面に弾かれることなく、内面に沿って横方向（周方向）に滑りながら塗り広がる。また、複数の放出口５４ａ、５６ａは、主柱材１０２の内面に対向しかつ環状に並んでいるため、第１シャワー部５４及び第２シャワー部５６からの塗料の放出によって、内面に沿って横方向に滑りながら塗り広がった部分と、隣の第１シャワー部５４及び第２シャワー部５６から塗料の放出において内面に衝突した部分とが重なり合う。これにより、塗り残し（未塗装部分）の発生を抑えることができる。
【００５５】
そして、主柱材１０２の頂部の作業員は、塗装装置１を主柱材１０２の頂部まで引き上げた時点で塗料供給装置（図示せず）を停止させ、塗装装置１を主柱材１０２の内部から取り出し、滑車を取り外す。これにより、塗装工程が終了する。
【００５６】
［養生工程］
次に、養生工程について、図５を参照しながら説明する。
主柱材１０２の頂部の作業員は、主柱材１０２の頂部に、排気部に相当する負圧ポンプ６０を設置する。この負圧ポンプ６０は、主柱材１０２の内部の空気を吸引して外部に排気するものである。この際、主柱材１０２の頂部には、外部の空気が主柱材１０２の内部に流入することを防止するため、空気漏入防止カバーを設置することが望ましい。
【００５７】
また、地上の作業員は、水抜き孔１０２ａを清掃して、水抜き孔１０２ａから主柱材１０２の内部に空気が流通できるようにしておく。
【００５８】
そして、負圧ポンプ６０を駆動させることにより、主柱材１０２の内部の空気が負圧ポンプ６０によって吸引されて外部に排出される。このため、水抜き孔１０２ａから主柱材１０２の内部に流入した空気が、主柱材１０２の内部を上昇して、主柱材１０２の頂部から排出される、という空気流が主柱材１０２の内部に形成される。このような環境下で所定時間、主柱材１０２の内面に塗布された塗料の養生が行われる。
【００５９】
養生中においては、作業員は、他の主柱材１０２の頂部に移動して、他の主柱材１０２の内面の塗装を行うとよい。養生後、主柱材１０２の頂部から負圧ポンプ６０を取り外し、蓋部（図示せず）を取り付けて、主柱材１０２の頂部を閉鎖する。これにより、養生工程が終了する。この塗装工程と養生工程とを、４本の主柱材１０２に施すことによって塗装作業が終了する。
【００６０】
通常、主柱材１０２の内部は空気の循環がほとんどないが、上述したように、主柱材１０２の頂部に負圧ポンプ６０を設置して、主柱材１０２の内部の空気を強制的に循環させることにより、塗料の乾燥・硬化を促進することが可能になる。また、塗料に含まれる、例えばシンナーのような成分が揮発した場合に、そのシンナーを主柱材の頂部から放出することが可能になる。
【００６１】
以上説明したように構成された本実施形態によれば、主柱材１０２の内面に水系塗料がシャワーコートにされるため、スプレー式で水系塗料を塗布するよりも、放出口５４ａ、５６ａの目詰まりが低減され、外部から視認することが困難な主柱材１０２の内面を確実に塗装することが可能になる。
【００６２】
つまり、スプレー式で水系塗料を塗布した場合には、圧縮空気とともにノズルから霧状に噴出した塗料の一部がノズルの先端部付近に付着し、そのまま硬化することによって目詰まりを起こすおそれがある。特に、長時間連続してスプレーした場合には多くの塗料の一部がノズルの先端部付近に付着するため、目詰まりを起こし易くなる。それに対し、本実施形態によれば、第１シャワー部５４及び第２シャワー部５６からの水系塗料の放出に圧縮空気を用いておらず、水系塗料は、霧状ではなく、液体の状態でまとまって直線に近い放物線を描くように放出される。このため、水系塗料が放出口５４ａ、５６ａの周囲に飛散することがなくなり、水系塗料が放出口５４ａ、５６ａの周囲に付着することによって目詰まりが発生することが防止できる。
【００６３】
また、水系塗料は、塗装後、水分が水蒸気となり蒸発するが、水蒸気は空気よりも密度が小さいため上方（主柱材１０２の頂部）に向かって揮散するという性質を有している。ここで、一般的に用いられている有機溶剤系塗料の場合には、主柱材１０２の下部に有機溶剤蒸気が沈降・滞留したり、塗料の硬化不良・流出（ベーパーウォッシュ現象）が生じたりするおそれがある。本実施形態においては、水系塗料を主柱材１０２の内部に塗布することにより、これらの不具合の発生を防止することができる。
【００６４】
また、本実施形態によれば、水系塗料が管状の第１シャワー部５４及び第２シャワー部５６を通って放出されることにより、水系塗料は拡散せずにまとまって放出され、しかも、放出方向が安定する。また、放出口５４ａ、５６ａの周囲に塗料が付着しにくくなるため、放出口５４ａ、５６ａが目詰まりしにくくなる。これにより、主柱材１０２の内面を確実に塗装することが可能になる。
【００６５】
また、本実施形態によれば、複数の第１シャワー部５４及び第２シャワー部５６の放出口５４ａ、５６ａは、主柱材１０２の径方向に対して約３０度傾いた方向を向いているため、主柱材１０２の内面に対して周方向に広い範囲で水系塗料を塗布することが可能になる。
【００６６】
つまり、複数の第１シャワー部５４及び第２シャワー部５６の放出口５４ａ、５６ａから水系塗料が、主柱材１０２の径方向に放出された場合には、水系塗料が主柱材１０２に衝突した部位を中心とした略円形の領域に塗布される。このため、水系塗料の周方向への広がりが小さく、下方に流下する水系塗料の量が多くなる。これにより、隣の複数の第１シャワー部５４及び第２シャワー部５６による水系塗料の塗布範囲と重ならない部分が生じ、その結果、塗り残し（未塗装部分）が発生するおそれがある。それに対し、本実施形態によれば、放出口５４ａ、５６ａに角度を設けているため、主柱材１０２の内面に対して周方向に広い範囲で水系塗料を塗布することが可能になり、その結果、隣の複数の第１シャワー部５４及び第２シャワー部５６による水系塗料の塗布範囲と重なる領域が大きくなるため、塗り残し（未塗装部分）の発生を抑えることができ、塗装ムラを低減することができる。
【００６７】
また、本実施形態によれば、複数の第１シャワー部５４及び第２シャワー部５６が上下方向に並ぶ二段に配置されており、塗料の放出方向が、主柱材１０２の半径方向に対して約３０度傾いた方向を向いているため、水系塗料の放出方向に角度を付けることによって水系塗料が周方向に広がる。しかしその一方で上下方向の水系塗料の塗布範囲が狭くなる。そこで、複数の放出口を、上下方向に二段に配置することにより、上下方向の水系塗料の塗布範囲を広げることが可能になり、塗り残し（未塗装部分）の発生をより確実に抑えることが可能になる。
【００６８】
以上、本発明の実施形態について説明したが、本発明は、上述した実施形態に限るものではない。例えば、上述した実施形態によれば、第１シャワー部５４及び第２シャワー部５６の放出口５４ａ、５６ａは、半径方向に対して３０度傾いているが、３０度に限るものではなく、塗料を放出する圧力が比較的高い場合には、３５度と角度を大きくし、塗料を放出する圧力が比較的低い場合には、２５度と角度を小さくするなど、複数種類のシャワー部５０を用意して、塗料を放出する圧力や主柱材１０２の内径等に応じて、適宜選択できるようにしてもよい。
【符号の説明】
【００６９】
１  塗装装置
１０  本体
１０ａ  凹部
１２  ホース連結部
１４  連結部
１６  突起部
２０  ホース
３０  支持脚
３２  第１シャフト
３４  第２シャフト
３６、３８  キャスター
３９  支持軸
４０  スライダ
４２  突起部
５０  シャワー部
５２  円柱部
５４  第１シャワー部
５４ａ  放出口
５６  第２シャワー部
５６ａ  放出口
６０  負圧ポンプ
１００  鋼管送電鉄塔
１０２  主柱材
１０２ａ  水抜き孔
【図１】
2015180152.tif 000003
【図２】
2015180152.tif 000004
【図３】
2015180152.tif 000005
【図４】
2015180152.tif 000006
【図５】
2015180152.tif 000007
【図６】
2015180152.tif 000008
【図７】
2015180152.tif 000009